(57)【要約】【課題】アンテナエレメントの長さをテレビ放送やラジオ放送の受信感度に応じて制御することにより、最良の受信感度を得ることができる携帯通信端末装置を提供する。【解決手段】放送波の受信開始時には、放送波のチャンネル毎に対応するアンテナ長を予め記憶する記憶手段から受信チャンネルに対応したアンテナ長を読み出し、読み出したアンテナ長に基づき、アンテナとして機能するイヤホンアンテナコード１５の巻き取り長を制御するとともに、受信感度に応じてイヤホンアンテナコード１５の巻き取り長を制御し、放送波の受信開始後には、受信感度の変化に応じてイヤホンアンテナコード１５の巻き取り長を制御する。【選択図】図１
2007235192.tif 000002
【特許請求の範囲】
【請求項１】
放送波を受信する受信手段と、
前記受信手段のアンテナとして機能するコード状のアンテナと、
該前記コード状のアンテナを巻き取り収納する収納手段と、
前記放送波のチャンネル毎に対応するアンテナ長を予め記憶する記憶手段と、
前記放送波の受信開始時に、受信チャンネルに対応して前記記憶手段に記憶されたアンテナ長に基づき前記コード状のアンテナの巻き取り長を制御するとともに、受信感度に応じて前記コード状のアンテナの巻き取り長を制御するアンテナ長制御手段と、
を備えることを特徴とする携帯通信端末装置。
【請求項２】
前記アンテナ長制御手段は、前記放送波の受信開始後には、受信感度の変化に応じて前記コード状のアンテナの巻き取り長を制御することを特徴とする請求項１に記載の携帯通信端末装置。
【請求項３】
通信波の送受信を行う通信手段と、
前記通信手段のアンテナとして機能するコード状のアンテナと、
該コード状のアンテナを巻き取り収納する収納手段と、
前記通信波のチャンネル毎に対応するアンテナ長を予め記憶する記憶手段と、
通信開始時に、送受信チャンネルに対応して前記記憶手段に記憶されたアンテナ長に基づき前記コード状のアンテナの巻き取り長を制御するとともに、受信感度に応じて前記コード状のアンテナの巻き取り長を制御するアンテナ長制御手段と、
を備えることを特徴とする携帯通信端末装置。
【請求項４】
前記アンテナ長制御手段は、通信開始後には、受信感度の変化に応じて前記コード状のアンテナの巻き取り長を制御することを特徴とする請求項３に記載の携帯通信端末装置。
【請求項５】
前記コード状のアンテナは、さらにイヤホンとしての機能を備えることを特徴とする請求項１〜４のいずれかに記載の携帯通信端末装置。
【請求項６】
前記イヤホンのヘッド部分を収納するイヤホンヘッド収納手段と、
前記イヤホンヘッドの収納時には携帯通信端末装置筐体に設けられたスピーカより音声出力を行い、前記イヤホンヘッドの使用時にはイヤホンより音声出力を行うよう切り替える音声出力切替手段と、
をさらに備えることを特徴とする請求項５に記載の携帯通信端末装置。
【請求項７】
前記収納手段は、携帯通信端末装置筐体の外周に沿って前記コード状のアンテナを巻き取り収納することを特徴とする請求項１〜６のいずれかに記載の携帯通信端末装置。
【請求項８】
前記収納手段は、携帯通信端末装置筐体の外周壁に設けられた溝に前記コード状のアンテナを押し込むための可動子が、携帯通信端末装置筐体の外周に沿って自走することにより前記コード状のアンテナを巻き取り収納することを特徴とする請求項７に記載の携帯通信端末装置。
【請求項９】
無線チャンネル毎に対応するアンテナ長を予め記憶する記憶手段から受信チャンネルに対応したアンテナ長を読み出し、読み出したアンテナ長に基づき、アンテナとして機能するコード状のアンテナの巻き取り長を制御するとともに、受信感度に応じて前記コード状のアンテナの巻き取り長を制御することを特徴とする携帯通信端末装置のアンテナ長制御方法。
【発明の詳細な説明】
【技術分野】
【０００１】
本発明は、アンテナのコードを装置本体に巻き取り式にした携帯通信端末装置およびそのアンテナ長制御方法に関する。
【背景技術】
【０００２】
近年、携帯電話機に搭載されるＩＣの高機能化、携帯電話事業者・会社間の競争激化に伴い、様々な機能を持った携帯電話機が販売されている。例えば、音楽プレーヤやＦＭチューナ、ＧＰＳによる歩行者用ナビゲーションシステム、アナログのテレビチューナ等を搭載した携帯電話機が販売されている。
【０００３】
テレビ業界ではデジタル放送が地上波のＵＨＦ帯を使用して開始されている。携帯電話機やＰＤＡ、車載テレビ、ポータブルテレビ等、家庭にあるテレビと比較して小さな画面で視聴することを対象にした放送も考えられており、１セグメント放送と呼ばれ、将来を期待されている。特に携帯電話機ではそのユーザ数が多く、常に身につけているため、デジタルテレビチューナを搭載することで、テレビ放送と携帯電話コンテンツが連携したビジネスチャンスが拡がると有望視されている。このためテレビを視聴することのできる携帯電話機は、今後益々増えることが予想される。
【０００４】
この地上波デジタルテレビ放送、アナログテレビ放送はＵＨＦ帯（４７０〜７７０ＭＨｚ）を用いているため、携帯電話機と比べると、低い周波数までカバーするアンテナを用いる必要がある。また、全チャンネルを受信するためには３００ＭＨｚの帯域幅においてアンテナゲインを確保する必要がある。このためイヤホンアンテナや携帯電話機の外部に大きなアンテナを接続することによりこの問題に対処している。
【０００５】
また、ＦＭラジオは７６〜９０ＭＨｚ帯で放送されるため、テレビ放送よりも更に低い周波数を受信する必要があり、エレメントの長いアンテナを用いる必要がある。テレビ用のアンテナには伸縮式の多段式ホイップアンテナもしくはイヤホンアンテナが一般的に用いられており、ＦＭラジオ受信機用にはイヤホンアンテナが一般的に用いられている。また、従来の携帯電話機は、その利便性から、無線通信を行うために内部にチップアンテナを備えている場合が多い。複数の無線システムを提供する多機能機の場合、それぞれのシステムに合わせた複数のチップアンテナを内蔵することが多い。
【特許文献１】特開平６−３３４５８４号公報
【特許文献２】特開平１１−５５３６９号公報
【特許文献３】特開平１０−１９０７９８号公報
【発明の開示】
【発明が解決しようとする課題】
【０００６】
従来の携帯電話機では、アンテナがホイップアンテナである場合、本体から棒状の突起物が出ているため、衣類のポケットや鞄などから取り出す際に引っ掛かってしまい、取り出し難い問題や、電話機を落下させた時、突出しているので構造的に当たり易くなっている。この落下の衝撃により破損する確率も高くなってしまうという問題があった。
【０００７】
また、携帯性を重要視する携帯電話機においては、大きなアンテナは内蔵できないため、ある程度小型にせざるを得ない。しかし、アンテナ性能は基本的にはエレメントの長さに比例するため、小型にすると性能が劣化してしまう問題があった。あるいはアンテナの周辺にシールド板やスピーカ等の金属物がある場合、これらの影響を受けて性能は更に悪化することになるため、電話機の感度が低下したり、電話機の開発が難しくなる問題があった。
【０００８】
さらに、携帯電話機の持ち方、耳への当て方は人によって異なり、様々な持ち方をするユーザがいる。チップアンテナ部が手や顔で覆われると大幅に性能が劣化してしまうが、これら様々な人全ての持ち方に配慮し、かつ性能を保てる位置にアンテナを搭載することは困難であるといった問題があった。
【０００９】
また、テレビ放送を良好に受信することを目的にアンテナエレメントを設計した場合、１／４波長とするのが好ましく、そのため９ｃｍから１６ｃｍが必要となってしまう。机の上でテレビを視聴する場合や、混雑した電車・バスの中で視聴する場合に通話やテレビ視聴のためにアンテナを伸張させると、アンテナエレメントが周囲の人や物に干渉してしまい、迷惑をかけてしまう。また、迷惑をかけない様にアンテナを伸ばす量を短くしたり、伸ばすのを止めると、充分に信号を受信できなくなりテレビが見えなくなってしまう恐れがあった。
【００１０】
また、携帯電話機で待ち受けを行う場合は、ホイップアンテナを収容して持ち歩くことになるが、アンテナを収納した状態のホイップアンテナでは、本体内の部品を搭載している基板とほぼ接する状態となるため、基板からの影響を受け過ぎてしまい、充分な性能を確保できない。このためホイップアンテナの先端に具備しているヘリカルアンテナを用いることが一般的である。しかしこのヘリカルアンテナは大きくできないため、充分な性能を出せない問題があった。また、小さな構造体であるため、ポケットや鞄に入っている物で覆われてしまい性能が劣化してしまう問題もあった。
【００１１】
屋外であればホイップアンテナでもテレビ視聴が可能な場所も多いが、一旦少しでも屋内に入ってしまった場合、受信レベルが弱くなり、映像が見えなくなってしまう。携帯電話機は軽量コンパクトである必要があるため、小さな筐体にアンテナを収める必要があることから、充分に性能を出せるエレメント長を確保できないことが大きな要因である。このようにアンテナを小型にすることにより省スペースを確保する反面、性能が犠牲になってしまうため、特に低い周波数を用いているテレビを視聴するユーザに対して充分な性能を確保できない問題があった。
【００１２】
従来の折り畳み型、スライド型、回転型筐体を持つ携帯電話機において、無線回路が内蔵されている筐体と異なる筐体へアンテナを配することは、構造が複雑になるためコストアップとなったり、筐体が大きくなるなどの弊害があった。また、無線回路から電気的に遠くなることから無線信号の損失が増加し、消費電流が増加したり、感度が落ちてしまうなどの問題があった。
【００１３】
ＦＭ、ＡＭラジオ受信にはイヤホンアンテナが用いられ、アナログ・デジタルのテレビ信号やＦＭ、ＡＭラジオ信号の受信には外部アンテナやイヤホンアンテナが用いられるが、これらは携帯電話機本体とは別に持ち歩く必要があり、かさばってしまい、持ち歩くのに面倒である、鞄に入れているとコードが絡まってしまう、本体にコードを巻きつけておくと着信があった場合などの使いたい時にコードを解く必要がありすぐに使えない、持ち忘れ・置き忘れをしてしまうなどの様々な問題があり、非常に不便であった。これらの煩雑なコードの取り扱いを簡略化するために幾つかの技術が考案されている。例えば、特許文献１には、帯状のコードを自動で巻き取る装置を備えた装置が開示されており、特許文献２には、イヤホンを本体に内蔵して携帯性を向上させると共にワンタッチでイヤホンが取り出せるようにした携帯電話機（図１６参照）が開示されており、特許文献３には、イヤホンマイクのコードを自動で巻き取る装置を内部に具備しつつイヤホンマイクのイヤホンおよびマイクロホンを収納するポケットとコードを収納する溝とを外部に備えていることを特徴とした装置が開示されている。携帯型のラジオでもこれらと同様にイヤホンアンテナを本体内に巻き取る構造を持つものもある。
【００１４】
しかし、特許文献１では、イヤホンマイクのコードを絡みつかないように携帯電話機の本体内のリールに巻き取ることのみが考えられおり、アンテナについては記述されていない。また、本体内に巻き取るため、筐体が大きくなってしまう問題がある。引用文献２では、収納した場合のアンテナの性能については配慮されていない。また、図１６に示すように、イヤホン７と巻き取られたイヤホンコード７ｂとを本体１内に収容するため、本体１に大きな収容スペースが必要となる問題があった。特許文献３では、イヤホンは筐体側面や背面に固定する機構を備えており、比較的筐体を小型にできるがコードの一部を筐体内に納める必要があるため、やはり大きくなってしまう問題やアンテナ性能を確保することが難しい問題があった。
【００１５】
また、高機能化に伴い携帯電話機にテレビ、ＦＭ、Ｂｌｕｅｔｏｏｔｈ、ＷｉｒｅｌｅｓｓＬＡＮなど複数の無線システムを搭載する必要が生じている。しかし、送受信性能を確保するためにはそれぞれの無線システムの周波数に合わせたアンテナを備える必要があるが複数のアンテナを搭載するにはスペースが必要になるため、筐体が大きくなってしまい、携帯性が確保できなくなる問題がある。一方で性能を優先させた場合、アンテナの容積が大きくなってしまうため、携帯電話機本体のサイズが大きくなってしまい、携帯性が損なわれてしまう問題がある。
【００１６】
また、従来の携帯ラジオ受信機では、ある長さに固定されているイヤホンアンテナを使用するため、アンテナコード長は固定されており、長さを調節することができなかった。携帯電話内蔵型であっても同様であった。また、テレビ受信機もラジオ受信機同様アンテナ長を調整する機能は有していなかった。このため、最適な受信状態で受信できておらず、受信機の性能を充分に発揮させている状態とは言えなかった。
【００１７】
さらに、データ通信にも配慮した携帯型電話機では、データ通信速度を向上させるために受信ダイバーシティを行っているものもある。このダイバーシティ用のアンテナも筐体内部に用意する必要があるアンテナであり、これも容積を必要とする一要因となっている。例えば、データ通信対応携帯電話機がテレビ受信機とＦＭ受信機を備える場合、携帯電話送受信用、携帯電話ダイバーシティ受信用、テレビ用、ＦＭ用の４本のアンテナを備える必要が生じる。これらのアンテナの内、テレビアンテナは低い周波数であるため、小型化が困難である。この対策としてテレビ専用の２段式ホイップアンテナを採用してアンテナ性能の劣化を最小限に留めようとする携帯型電話機もあるが、それでも性能は充分ではなく、筐体も大きくなってしまっていた。
【００１８】
本発明は、このような問題点に鑑みてなされたものであり、本発明の目的は、アンテナエレメントの長さをテレビ放送やラジオ放送の受信感度に応じて制御することにより、最良の受信感度を得ることができる携帯通信端末装置およびアンテナ長制御方法を提供することにある。
【課題を解決するための手段】
【００１９】
上記目的を達成するため、本発明の携帯通信端末装置は、放送波を受信する受信手段と、前記受信手段のアンテナとして機能するコード状のアンテナと、該前記コード状のアンテナを巻き取り収納する収納手段と、前記放送波のチャンネル毎に対応するアンテナ長を予め記憶する記憶手段と、前記放送波の受信開始時に、受信チャンネルに対応して前記記憶手段に記憶されたアンテナ長に基づき前記コード状のアンテナの巻き取り長を制御するとともに、受信感度に応じて前記コード状のアンテナの巻き取り長を制御するアンテナ長制御手段とを備えることを特徴とし、前記アンテナ長制御手段は、前記放送波の受信開始後には、受信感度の変化に応じて前記コード状のアンテナの巻き取り長を制御することが好ましい。
【００２０】
また、本発明の携帯通信端末装置は、通信波の送受信を行う通信手段と、前記通信手段のアンテナとして機能するコード状のアンテナと、該コード状のアンテナを巻き取り収納する収納手段と、前記通信波のチャンネル毎に対応するアンテナ長を予め記憶する記憶手段と、通信開始時に、送受信チャンネルに対応して前記記憶手段に記憶されたアンテナ長に基づき前記コード状のアンテナの巻き取り長を制御するとともに、受信感度に応じて前記コード状のアンテナの巻き取り長を制御するアンテナ長制御手段とを備えることを特徴とし、前記アンテナ長制御手段は、通信開始後には、受信感度の変化に応じて前記コード状のアンテナの巻き取り長を制御することが好ましい。
【００２１】
また、本発明のアンテナ長制御方法は、無線チャンネル毎に対応するアンテナ長を予め記憶する記憶手段から受信チャンネルに対応したアンテナ長を読み出し、読み出したアンテナ長に基づき、アンテナとして機能するコード状のアンテナの巻き取り長を制御するとともに、受信感度に応じて前記コード状のアンテナの巻き取り長を制御することを特徴とする。
【発明の効果】
【００２２】
本発明は、アンテナエレメントの長さをテレビ放送やラジオ放送の受信感度に応じて制御することができるので、最良の受信感度を得ることができる。
【発明を実施するための最良の形態】
【００２３】
本発明の実施の形態について図面を参照して説明する。図１は、本発明の携帯通信端末装置の実施の形態を示す斜視図である。なお、本実施の形態では、携帯通信端末装置として携帯電話機を例示して説明する。図１は、折りたたみ式の携帯電話機の持ち運び状態を示している。キー側筐体１１と表示パネル側筐体１２はヒンジ１３を介して機構的、電気的に接続されている。表示パネル側筐体１２の壁（側面）は一段落とし込まれた部分にあり、壁にはイヤホンアンテナコード１５を収納するための溝１４が螺旋状に構成されている。また、この壁には溝１４にイヤホンアンテナコード１５を押し込むための可動子（図示せず）があり、電気的制御で表示パネル側筐体１２の周囲を自走することでイヤホンアンテナコード１５を表示パネル側筐体１２の壁に巻き付けることができる。また、イヤホンアンテナコード１５を一定の外力以上で引っ張られると可動子は外力により動く構造となっている。表示パネル側筐体１２のサブ表示パネル１６の面側にはイヤホン１８のヘッド部分を収納するためのイヤホン収納用穴１７が設けられている。
【００２４】
図２は、イヤホン収納用穴にイヤホンを収納していないときの携帯電話機の一部を示す斜視図である。イヤホン収納用穴１７の側面にはイヤホン固定用爪１９（弾性部材）が設けられており、イヤホン１８のヘッド部分をイヤホン収納用穴１７に嵌め込むと、このイヤホン固定用爪１９によりイヤホン１８は固定される。また、イヤホン収納用穴１７の底面中央部にはイヤホン収納時にノブが押される構造の音声切替用のスイッチ２０が設けられている。このスイッチ２０が押されると音声切替回路が音声の通るパスを切り替える回路となっており、イヤホンを収納した時は本体に内蔵されているスピーカに切り替わるようになっている。この構造を持つことにより、ユーザは音声を聞くための操作を気にすることが必要なくなるため、利便性が向上する。また、イヤホンが収納されたことが検出できることから、このスイッチ２０をイヤホンアンテナコードの巻き込み開始スイッチとして使うこともできる。また、このスイッチ２０の代わりにイヤホン固定用爪を利用したスイッチとすることも可能である。
【００２５】
図３は、ＦＭラジオやＡＭラジオのような音声のみを聞く状態を示しており、キー側筐体１１と表示パネル側筐体１２はヒンジ１３を回転中心にして閉じている。イヤホン１８を筐体から外して使用している状態を示しており、可動子２１はアンテナの受信感度の良好な位置に自由に移動することができる。図４は、テレビ等のようにイヤホンアンテナコードで受信して視聴する状態を示しており、視聴する方向は縦でも横でも特に差違はない。
【００２６】
図５は、イヤホンアンテナコードと駆動系の概要を示す図であり、筐体の内部に複数のプーリー２５を配置し、１本のリング状のタイミングベルト２６をプーリーに掛ける。プーリー２５の１つにモータ２７を接続し、プーリー２５を回転駆動させることによりタイミングベルト２６が筐体の内部で動くことにより、タイミングベルト２６に接続された可動子２１も同一の動きをすることで、表示パネル側筐体の壁にある溝と可動子内に配置されたスライダの溝に挟まれたイヤホンアンテナコード１５が筐体に収納される。
【００２７】
図６は、駆動系部分の詳細を示す図であり、モータ２７の軸には平歯車２９が挿入され、筐体に回転自在に固定されたプーリー２５の少なくとも一枚のフランジ３０に歯車を配置し、この歯車と平歯車２９が噛み合うことでモータ２７の回転を伝える構造としている。平歯車２９で動力を伝達する理由は、外力により可動子２１が動かされたときにモータ２７の軸が動くことで外力による可動子２１の移動を許容していることにある。逆に外力による可動子２１の移動を許容しない場合は、モータ２７の配置を９０°傾けてモータ軸にウォームギアを配置することで、モータからの回転を伝えることはできるが、モータ停止状態では可動子をロックすることも可能となる。
【００２８】
プーリー２５のフランジ３０は、タイミングベルト２６の軸方向へのズレを規制しており、プーリー２５の外径面にはタイミングベルト用の歯面３１を配置し、この歯面３１に噛み合うように１本のタイミングベルト２６を配置している。タイミングベルト２６を使うことと、モータ２７にステッピングモータを使うことで、電気的にステップ信号を送れば、タイミングベルト２６を滑ることなく移動させることができる。
【００２９】
また、位置精度を重要としない場合であれば、モータ２７に汎用のＤＣモータを配置し、タイミングベルト２６を平ベルトにすることもできる。平ベルトを使用する場合には、モータと接続しないプーリーは、樽型プーリーを使用することでフランジが不要となり、組立作業性も向上する。
【００３０】
タイミングベルトの歯面の反対面には、可動子２１と接続可能な突起状の接続部３２を配置し、突起の接続部３２の中央にシャフト３３が厚入できる孔を用意している。厚入されたシャフト３３は、少なくとも一方を解放した箱型の可動子２１を貫通して、他端にはシャフト３３と回転自由な車輪３４を配置している。箱形の可動子２１の中にはシャフト３３に貫通される孔を持ち、解放面から突出した状態でアンテナコード１５を規制するアンテナ規制溝３５を持ったスライダ３６が配置されており、スライダ３６はアンテナコード１５を規制するアンテナ規制溝３５に規制されて矢印Ａ方向に動くことができる。また、可動子２１の車輪装着面側の解放面に矢印Ｂ方向へ力を与える弾性部分である与圧部３７が設けられている。
【００３１】
図７は、表示パネル側筐体の可動子停止位置での断面図を示しており、シャフト３３のリアケース４１側にはタイミングベルト２６と接続部３２が配置され、フロントケース４０側には車輪３４が配置されている。表示パネル側筐体も二つに分割され、メイン表示パネル側をフロントケース４０と称し、その反対面になるケースをリアケース４１と称して説明する。フロントケース４０とリアケース４１は、爪やねじ止めすることで一体構造を形成している。フロントケース４０の側壁４２とフロントケース４０から立ち上がっている壁４３との隙間には車輪３４と与圧部３７が入るスペースがあり、壁４３にはイヤホンアンテナコード１５を収納可能な螺旋状の溝１４が形成されている。壁４３がフロントケース４０側に成形されている理由は、リアケース側にタイミングベルト用のプーリーやモータを配置させることで大型の表示パネルをその下に配置することができ、厚み方向に重ねることにより小型化が可能になることにある。
【００３２】
可動子２１は、フロントケース４０の側壁４２とリアケース４１の側壁４４に挟まれた位置に配置され、可動子の外観面側は、側壁４２，４４の側壁面より突起することのない高さにすることで、携帯時に外力を受けることが防げる。また、可動子２１とケースの壁４３の間隔を少なくすることで可動子２１が傾くことを防いでいる。可動子２１を貫通するシャフト３３の上方にはタイミングベルト２６によって引っ張られるための接続部３２があり、軽圧入で結合されている。この結合に関しては軽圧入ではなく、抜けない構造であればよく、場合によっては回転自在に組むことも考えられる。
【００３３】
可動子２１を貫通するシャフト３３の下方に配置されている車輪３４は、フロントケース４０の側壁４２の内面に当接しており、車輪３４に対する当接圧は、車輪３４の当接部と相反する部分に配置された可動子の与圧部３７が、フロントケース４０から立ち上がっている壁４３に当接することで発生する。
【００３４】
可動子２１の内部は、少なくともフロントケース４０の壁４３側の面を解放面にした箱形形状をしており、壁４３側にアンテナ規制溝を持ち、シャフト３３に沿って移動可能な構造となっているスライダ３６は、可動子内面の長手方向の壁に当接しながら移動することでスライダ３６自体がシャフト３３を中心に回転することを防止している。壁４３にレール替わりになる突起または凹みを付け、スライダの形状を変更してレールに挟み込む構造にすると、回転防止に対し安定した動作が得られる。
【００３５】
図８は、イヤホンアンテナコードを備えている折り畳み型の携帯電話機の例を示している。イヤホンアンテナコードは表示パネル側筐体に収納されており、一方、イヤホンアンテナコードと接続される回路部分はキー側筐体に配置されている。イヤホンアンテナコードの、イヤホンが接続されている側とは反対側の部分は、表示パネル側筐体に造られたイヤホンアンテナ出口４６から可動ヒンジを収納するカバーの外観面の溝に沿って曲がり、キー側筐体に設けられたイヤホンアンテナ入口４７よりキー側筐体内に入り込み、プリント基板上の回路部分に接続される。また、折りたたみ状態から表示パネル側筐体を開くと、イヤホンアンテナコードは、ヒンジを収納するカバーの外観面より外れていく。このときの溝の幅は、イヤホンアンテナ出口４６側が狭く、イヤホンアンテナ入口４７側が広い方が、イヤホンアンテナコードのたるみが少なくてすむ。
【００３６】
この構造でアンテナコードを収納していると、携帯電話機の待受を行う場合に、筐体の外周の長さの多くがアンテナとして機能する。収納したホイップアンテナすなわちヘリカルアンテナと比較すると２倍以上の長さを得ることができるため、良好な受信特性を得ることができる。また、ユーザが胸ポケットや鞄に入れて持ち運ぶ時やメールを作成している時にアンテナ全体が遮られる確率が低くなるため、ヘリカルアンテナに比べて有利となる。
【００３７】
図９は、本端末の使用状態を示す図である。（ａ）ではイヤホンアンテナコードの一部が体に触れているためにイヤホンアンテナの受信感度が劣化してしまう。（ｂ）では受信感度の劣化を判断して、本端末のＣＰＵが可動子に移動する指示を出し、今の使用状態で最も受信感度の良い位置となるようにイヤホンアンテナコードの長さを自動調整している。結果的に体に触れない状態となっている。体に触れないことがアンテナを使用する条件としては最も有利であるが、巻き取り量を変化させることにより体に触れる位置、量が変化することでアンテナ性能は変わってくる。
【００３８】
携帯電話機の筐体は、折り畳み以外の構造でも良好な性能を得ることができる。例えば、図１０の（ａ）に示すスライド型の携帯電話機や（ｂ）に示す回転式の携帯電話機であっても折り畳み型の携帯電話機と同様に表示パネル側筐体にイヤホンアンテナコードを巻きつけることができるため、イヤホンアンテナコードが手や顔で覆われる確率が低くなる。図１〜図９においては、折り畳み式構造の携帯電話機を示しているが、表示パネル側筐体のメイン表示パネル側にヒンジ構造物が構成されていれば表示パネル側筐体の四方の壁が連続的に繋がるので、可動子が側壁を移動することができるので、回転式およびスライド式の携帯電話機においても実現可能であることが判る。
【００３９】
図１１は、本発明の携帯通信端末装置の本体内部の一例を示すブロック図である。イヤホン５１に接続されたイヤホン線５２は、切替回路５３でスイッチ２０により切り替えられて音声処理部５４に接続されている。アンテナエレメント５５は、筐体内の基板上に固定されており、それぞれテレビ受信機５７、ラジオ受信機５６、携帯電話送受信機５８に接続されている。テレビ受信機５７は、アナログテレビ放送、地上デジタルテレビ放送、地上デジタル音声放送の１つもしくは２つ以上の放送を受信できるものである。また、ラジオ受信機５６は、ＦＭラジオ放送、ＡＭラジオ放送の一方もしくは両方を受信できるものである。アンテナエレメントの長さは、それぞれの無線システム周波数の１／４波長に合わせることを基本とする。それぞれのエレメントが近いと、相互に影響を与えること、エレメントの材料によりエレメントの短縮率が異なることがあるため、それぞれのエレメントが最も効率良く電波を放射、受信できる長さに調整を行うこととする。
【００４０】
なお、この実施例では、ラジオ、テレビ、電話のアンテナを模式的に１つのコード１５の中に収めている図を記載しているが、それぞれラジオ、テレビ、電話単体のアンテナ１つがコード１５の中に収められているものも含むものである。その場合、コード１５の中に収められていない機能（ラジオ、テレビ、電話）のアンテナは別に設けられているものとする。
【００４１】
ＣＰＵ５９は、各無線システム受信機５６，５７，５８の電源のＯＮ／ＯＦＦ、受信レベルの監視、音声処理部５４の制御、音声パスの切り替え、アンテナコード巻き取りモータ６３の制御、表示部６２の制御、操作部６０からの入力監視などを行う。
【００４２】
テレビ受信機５７は、受信した放送波を復調し、ＣＰＵ５９は復調した映像を表示部６２へ表示する。復調された音声信号は、音声処理部５４を経由して切替回路５３でスイッチ２０により切り替えられてイヤホン５１またはスピーカ６５へ出力される。携帯電話送受信機５８は間欠受信を行っており、テレビ視聴中であっても携帯電話機の待ち受けを行える。テレビ視聴中に携帯電話メールを受けることも可能である。携帯電話機に着信があった場合、消費電流削減とテレビ受信機からのノイズを防ぐためにテレビ視聴を中断し、テレビチューナの電源を遮断後、通話を行う。このときイヤホンアンテナではマイクロホンが付いていないため、イヤホンで受話し、本体内蔵のマイクロホン６４で送話を行う。同様にラジオを聞いている時であっても携帯電話機での待受や通話を行うことができる。
【００４３】
メモリ６１には携帯電話機の電話帳やユーザが保存するデータ領域の他にイヤホンアンテナコード長を制御する各種パラメータとして自動で最適なエレメント長サーチを開始する受信レベルの値や各システムの全てのチャンネルに一対一で対応したアンテナエレメント長のプリセット値テーブルが格納されている。図１２に各無線システムのチャンネルに対応したアンテナエレメント長テーブルの例を示す。プリセット値は、各無線システムのチャンネル毎に設定している。アナログテレビの１ｃｈでは理論的に導き出される１／４波長の長さは８２．２ｃｍである。この値をプリセット値として対応付けている。アナログテレビはユーザがリモコンで操作するチャンネルと実際の物理チャンネルとは異なっている。ここでは物理チャンネルのことを指し、実際に各テレビ局のチャンネル毎に指定されている周波数を指す。地上デジタルテレビやラジオも同様に各チャンネルの周波数からプリセット値を導き出し、テーブルを算出している。ラジオの周波数は地方局を含めると非常に多くの周波数が用いられているため、ここではチャンネルは図示していない。携帯電話機がアンテナコード長を調整するとき、ユーザに指定されたチャンネルに対応するプリセット値に設定する。なお、プリセット値はチャンネル毎に設定していなくても良い。プリセットテーブルのデータ量が多いとメモリ領域を多く必要としてしまう。この容量節約とアンテナコード長調整時間短縮のため、複数のチャンネルをまとめたプリセット値としても良い。その際、プリセット値は平均値とする。
【００４４】
次に、実際に使用する際の手順を説明する。ユーザが携帯電話機の操作部６０でテレビ視聴を選択すると、ＣＰＵ５９はテレビ受信機５７の電源を投入する。この時、携帯電話送受信機５８は間欠受信を行っている。ユーザが音声を聞くためにイヤホン５１を携帯電話機本体のイヤホン収納の穴から外したことをＣＰＵ５９で検知すると、ＣＰＵ５９はメモリ６１から指定されたアンテナエレメント長プリセット値を読み出し、この長さに合わせてモータ６３を制御し、イヤホンアンテナコード１５を送り出し、プリサーチを開始する。
【００４５】
図１３は、プリサーチの動作を説明するフローチャートである。イヤホンアンテナコードは通常１００ｃｍ程度と長いため、アンテナコードの一部がユーザの体に触れてしまうことが多い。体に触れるとアンテナ性能は劣化してしまう。この送り出し、巻き取り量が多過ぎると、イヤホンが耳から外れてしまう問題や、コードのたるみに余裕がなくなり、ユーザの使い勝手が悪くなってしまう問題があるため、制限が必要である。巻き取り量はユーザの利便性を損なわない長さとするため、送り出し、巻き取りの各々を１０〜２０ｃｍ程度とすることが好ましい。
【００４６】
ＣＰＵがテレビ受信機の電源を投入すると（Ｓ１００）、アンテナコードの長さがプリセット値よりも１０〜２０ｃｍ短い長さとなるまでアンテナコードを送り出す（Ｓ１０１、Ｓ１０２）。プリサーチ開始時のアンテナ長はメモリに格納されているプリセット値よりも１０〜２０ｃｍ短い長さとすることが好ましい。ここからアンテナコードをゆっくりとした速度で送り出し、使用しようとしているシステムの受信レベルをモニタする。プリサーチ終了時のアンテナコード長は、プリセット値よりも１０〜２０ｃｍ長い長さとする（Ｓ１０３、Ｓ１０４）。次に、この間に取得した受信レベル強度が最も強いときのアンテナコード長を求め（Ｓ１０５）、この求めたアンテナコード長の長さに合わせるためアンテナコードを巻き取る（Ｓ１０６）。最適なアンテナコード長になったならば（Ｓ１０８）、アンテナの巻き取りを停止する（Ｓ１０９）。
【００４７】
ステップ１０７において、アンテナコードを巻き取るときにアンテナコードが引っ張られたことを検出すると、アンテナコードの巻き取りを停止し（Ｓ１１０）、後述するＸｃｍの長さから、プリサーチ終了時のアンテナコード長（１０〜２０ｃｍ）までの間で、受信レベル強度が最も強いアンテナコード長を求め（Ｓ１１１）、この求めたアンテナコード長の長さに合わせるためアンテナコードを送り出す（Ｓ１１２）。最適なアンテナコード長になったならば（Ｓ１１３）、アンテナの送り出しを停止する（Ｓ１１４）。
【００４８】
また、ユーザがテレビやラジオの視聴チャンネルを変更した場合や長距離を移動することにより放送エリアをまたいだ場合、利用するシステムを変更した場合には変更後のアンテナエレメント長さをメモリから取得し、モータにより長さを調整後、プリサーチを行う。
【００４９】
図１４は、イヤホンアンテナコードが引っ張られたことを検出する装置を示す図である。イヤホンアンテナコード７１は、イヤホン７２のイヤホンケース７３内のテンション用突起７４とテンション検出センサ７０の間を通ってイヤホンアンテナ固定部７５に固定されており、イヤホンアンテナコード７１が引っ張られるとテンション検出センサ７０から電気信号が出力される構造となっている。この信号は携帯電話機本体内のＣＰＵへ通知される。ＣＰＵは検出信号を受けるとイヤホンがユーザの耳から外れてしまうと判断し、プリサーチ、アンテナ長自動調整を中止する。テンション検出センサは誤動作を避けるため、プリサーチ、アンテナ長自動調整のときのみ有効とする。
【００５０】
図１５は、アンテナ長を自動調整するフローチャートである。ただし、ＡＭラジオの場合を除く。テレビ視聴開始後、テレビ受信機は一定時間周期、例えば１分毎で受信レベルを監視する（ステップ２００）。この周期はユーザが設定できることが好ましい。ユーザが通勤、通学などで移動する間、イヤホンアンテナコードがユーザの体に触れている量は時々刻々と変化するためアンテナ性能もその時の状況により変化してしまう。この受信レベルが変動する中でメモリに記憶されているサーチ開始レベルより受信レベルが悪くなるとＣＰＵはモータ制御部を制御し、アンテナコードの巻き取り量を調整する。このとき同時にイヤホンがユーザの耳から外れてしまうことを防ぐための検出部であるテンション検出センサを作動させる。
【００５１】
受信レベルがサーチ開始レベルよりも悪くなると（Ｓ２０１）、アンテナコードの長さが１０〜２０ｃｍ短くなるまでアンテナコードを巻き取り、使用しようとしているシステムの受信レベルをモニタする（Ｓ２０２〜Ｓ２０６）。この間に、アンテナコードが引っ張られたことを検出すると（Ｓ２０４）、アンテナコードの巻き取りを停止する（Ｓ２０８）。また、受信レベルがサーチ開始レベルを回復したときは（Ｓ２０５）、アンテナコードの巻き取りを停止し（Ｓ２０７）、ステップ２００の定周期監視に戻る。
【００５２】
アンテナコードの長さが１０〜２０ｃｍ短くなり、アンテナコードの巻き取りを停止した後は、今度は逆に、アンテナコードをゆっくりとした速度で、ステップ２０２のアンテナコードの巻き取り開始時の長さより１０〜２０ｃｍ長くなるまで送り出し、使用しようとしているシステムの受信レベルをモニタする（Ｓ２０９〜Ｓ２１１）。また、この間に、受信レベルがサーチ開始レベルを回復したときは（Ｓ２１０）、アンテナコードの巻き取りを停止し（Ｓ２１２）、ステップ２００の定周期監視に戻る。
【００５３】
次に、上述のアンテナコードの巻き取り、送り出しの間に取得した受信レベル強度が最も強いときのアンテナコード長を求め（Ｓ２１３）、この求めたアンテナコード長の長さに合わせるためアンテナコードを巻き取る（Ｓ２１４）。最適なアンテナコード長になったならば（Ｓ２１６）、アンテナの巻き取りを停止し（Ｓ２１７）、ステップ２００の定周期監視に戻る。
【００５４】
ステップ２１５において、アンテナコードを巻き取るときにアンテナコードが引っ張られたことを検出すると、アンテナコードの巻き取りを停止し（Ｓ２１８）、後述するＸｃｍの長さから、１０〜２０ｃｍの調整量の長さまでの間で、受信レベル強度が最も強いアンテナコード長を求め（Ｓ２１９）、この求めたアンテナコード長の長さに合わせるためアンテナコードを送り出す（Ｓ２２０）。最適なアンテナコード長になったならば（Ｓ２２１）、アンテナの送り出しを停止し（Ｓ２２２）、ステップ２００の定周期監視に戻る。
【００５５】
調整量は±１０〜２０ｃｍ程度とするのが好ましい。サーチ開始レベルはそれぞれのチューナの受信感度レベルを基準とする。よってアナログテレビ受信機、ＦＭ受信機、携帯電話受信機などは異なる値となる。受信感度は個体差もあるため、端末毎に感度点を計測し、本体メモリ内に記憶させる。よって各端末にはその個体のラジオ、テレビ、携帯電話機の感度点を記憶することになる。このそれぞれの感度に対し、数ｄＢ分、例えば６ｄＢを加えた値をサーチ開始基準レベルとする。感度点に加える値は各チューナの性能に準じてシステム毎に設定しても良い。例えばテレビは感度点＋６ｄＢ、ラジオは＋５ｄＢ、携帯電話機は＋４ｄＢといった値となる。サーチ開始基準値の設定は、感度点に達する前に予めサーチを開始することで映像や音が途切れてユーザの利便性を損なわない状態に保つことを目的としている。
【００５６】
このサーチ手段は２種類の方法を取るものとする。第１の手段は、受信レベルに大きな改善が見られない場合である。この時は、サーチ開始後アンテナコードを１０〜２０ｃｍ長い長さにしてからサーチを開始し、開始長さより１０〜２０ｃｍ短い長さまでをサーチする。サーチ終了後に取得した受信レベルが最も強かった長さにアンテナコード長を合わせる手段である。第２の手段では受信レベルに大きな改善が見られた場合である。サーチを開始したレベルに対し大きく改善した場合、例えば１０ｄＢ改善するとサーチを途中で中断し、モータを停止する手段である。第２の手段である方がサーチに要する時間や電力を省略できるため、有利である。サーチ終了レベルもシステム毎に設定し、本体メモリに記憶させても良い。
【００５７】
テンション検出センサは、アンテナコードの巻き取り動作の開始と同時に作動し、テンションがかかったことを検出すると検出信号がＣＰＵに通知される。ＣＰＵはこの信号を受けるとモータを停止させ、アンテナコードの巻き取りを停止する。その後、ＣＰＵはモータの回転を逆転させ、アンテナコードを送り出し、受信レベルモニタを行う。アンテナコードの送り出し終了後、受信レベルが最も高かった位置にアンテナコード長を合わせるが、アンテナコードを巻き取る動作となるため、このときもテンション検出を行う。一連の動作中、テンションを検出した場合、イヤホンが耳から外れる危険性を避けるため、ユーザが自分の使用スタイルに合わせて設定できる長さを付加することができる。このユーザ設定は携帯電話機の画面上で入力できるものとする。サーチ開始時のアンテナコードの長さを基準として、テンションを検出した長さ（マイナス方向）にユーザが設定する長さを加えた長さをＸｃｍとする。すなわち、テンションを検出した場合、Ｘｃｍからサーチ開始長さ＋２０ｃｍまでの間で最も受信レベルの高かった位置を求めることとなる。
【００５８】
この定周期監視によるアンテナコード長の自動追尾は視聴終了まで行う。ユーザにより視聴終了の操作が行なわれると、自動追尾動作中であっても動作を中断し、モータを停止する。
【００５９】
ユーザがＡＭラジオを選択した場合は、周波数帯が低いため、最適となるアンテナの長さの理論値はイヤホンアンテナコード長よりも長くなる。例えば１．３ＭＨｚの時の１／４波長は５７．６９ｍとなる。この場合、他のシステムとは異なる自動追尾を行う。プリサーチ時には最大長までアンテナコードを送り出す。自動追尾を行う場合、アンテナコードを送り出すことができない。このため、最大長から４０ｃｍを目標に巻き取りを行い、受信レベルをモニタする。このサーチ中に最も受信レベルの高かった長さにアンテナコードの長さを合わせる。次の定周期監視を行う場合、前回のアンテナコード長を基準として±２０ｃｍをサーチする。以降も前回にサーチした長さを基準にサーチを繰り返す。テンション検出は他のシステム時と同様モニタを行い、テンションを検出するとモータを停止する。この長さよりＸｃｍを利用限度長として捕らえ、これより長いアンテナコードの長さで追尾を行うものとする。
【００６０】
ユーザがテレビ視聴を終了させるためにキー操作を行うと、テレビ受信機の電源をＯＦＦする。ユーザが耳からイヤホンを取り外し、本体のイヤホン収納用の穴にイヤホンを戻すとイヤホン検出スイッチが押されるため、イヤホンが収納されたことを検出される。ＣＰＵはイヤホンが収納されたことを検出するとモータを動作させ、イヤホンアンテナコードを最大位置まで巻き取る。
【００６１】
ＣＰＵはユーザが各システムを使用していた時のアンテナコードの長さのデータ履歴をメモリに記憶する。テレビ、ラジオを視聴した後、ＣＰＵは直前のデータを含めて過去に使用した長さの最頻値を算出する。求められた値は次回のイヤホンアンテナコード長のプリセット値として保存される。この学習機能によりユーザは自分の使い方、スタイルに適したイヤホンアンテナコードの長さとなることから良好な受信レベルを得る機会が増えると同時にサーチする回数を減らすことができる。
【００６２】
本発明は、受話音声を聞くこともできるイヤホンを具備したアンテナを携帯電話機本体と一体として持ち歩くことができ、携帯性に優れ、アンテナを巻き取った状態でもチップアンテナや伸縮式のホイップアンテナと同等以上の性能を確保できるアンテナの巻き取り方法を提供するものである。さらに、本発明は、携帯電話機の筐体がストレート式、折り畳み式、スライド式、回転式等の構造であっても同様の効果を得ることができる。
【００６３】
テレビの周波数では１／４波長は９〜１６ｃｍであるため、アンテナエレメントをこの長さ以上確保できれば良好なアンテナ利得を得ることができる。エレメントを配置する位置はできる限り９ｃｍ以上の直線状の場所を得たい。携帯電話機では筐体長手方向の直線部が最も距離を得ることができる。このためアンテナエレメントを収納した状態であっても従来と比べて良好なアンテナ利得を得ることができる。
【００６４】
また、携帯電話機の周波数では、１／４波長はおよそ９ｃｍである。２インチ以上の液晶（表示部）を備えている携帯電話機であれば筐体の側面一辺に配するアンテナコードの長さのみによってこの長さをほぼ得ることができる。
【００６５】
携帯電話基地局から発せられた電波は様々な物体を反射しながら携帯電話機へ届く。この過程で基地局から放射された電波の偏波面は様々な方向を向くことになる。基板周囲へ配したアンテナエレメントはその構造によりほぼ長方形となることから水平偏波も垂直偏波であっても受信することができる。従来のホイップアンテナであれば棒状であるためある一偏波面のみしか良好に受信することができなかった。このため、比較的良好なアンテナ利得を得ることができる。
【００６６】
携帯電話待受時において、従来のチップアンテナ、ホイップアンテナを収納した際に使用するヘリカルアンテナでは小型であるため、ポケットや鞄の内容物に覆われてしまい性能を出せなくなってしまう可能性が高かった。本発明では、アンテナコードが筐体内部の基板の周囲にあり、最も距離のある部分を経由しているため、アンテナコードの一部が覆われることはあっても全面が覆われる確率は低くなる。この遮蔽物に覆われない箇所のエレメントは、本来の性能を比較的発揮できるため、従来の携帯電話機より優れたアンテナ性能を確保することができる。
【００６７】
また、本発明は、無線の回路がキー側筐体であっても、表示パネル側筐体であってもアンテナコードは手の影響の出にくい表示パネル側筐体へ配することができるため、無線回路部がキー側筐体にある場合でも等しく性能を確保することができる。無線回路がキー側筐体にある場合、アンテナコードはキー側筐体内の基板へ接続されているが、表示パネル側筐体内へ巻き取る構造を持つ。ユーザが通話を行う際、特に折り畳み型、スライド型、回転型の筐体である場合、キー側筐体を持つことで携帯電話機を保持する使用者が多い。アンテナを表示パネル側筐体に巻き取る構造を備えているため、アンテナエレメントが手で覆われない確率を増やすことができる。手に覆われない場合は優れた性能を得ることができる。手で覆われた場合でもアンテナエレメント全てが覆われる確率は非常に低く、手に覆われない箇所のエレメントは、本来の性能を比較的発揮できるため、従来の携帯電話機より優れたアンテナ性能を保持することができる。これにより無線回路が表示パネル側筐体、キー側筐体のどちらにある場合においてもアンテナコードは表示パネル側筐体に収納することが可能であるため、回路や筐体の設計の自由度を上げることができると共にユーザへ優れた性能を有する携帯電話機を提供することが可能である。
【００６８】
また、本発明は、イヤホンアンテナコードを自動で巻き取ることを特徴としている。ユーザの使用開始時にはイヤホンアンテナコードを送り出し、使用後には自動で巻き取ることでユーザが自ら巻き取る煩雑さを軽減することで利便性を向上させることができる。
【００６９】
さらに、本発明は、使用しているシステムの受信レベルを常に監視し、一定周期毎に最も受信レベルが強くなるアンテナエレメント長をサーチすることを特徴とする。ある一定周期で最適なエレメント長に自動で調整されるため、ユーザは特に意識すること無く常に良好な状態でＴＶやラジオを視聴することが可能となる。
【００７０】
また、ユーザは自分の使い方に合わせてサーチする周期を手動で設定することができる。頻繁にサーチすることが好ましくない場合にはサーチ周期を長時間に設定することができる。また、サーチを行わない設定とすることも可能とする。この様にユーザの嗜好に合わせて調整できることでユーザの利便性を向上することができる。
【００７１】
また、本発明ではイヤホンを取り外したことを検出し、音を出す経路をスピーカからイヤホンへ自動で切り替えることを特徴とする。本体にはイヤホンが装着されたことを検知する機械的なスイッチが備えてある。イヤホンを収納するときはテレビ視聴やＦＭラジオを聞き終えた場合であり、イヤホンを必要としない時である。ユーザが音を聞く経路の切替操作を行うことは煩雑になり問題がある。イヤホン収納位置に装着すると本体に備えてあるスイッチが押され、音声切替スイッチが本体に内蔵しているスピーカ側へ切り替わる。ユーザは端末操作を意識すること無く自動で音声経路が切り替わるため、利便性が向上する。
【００７２】
また、従来のイヤホンアンテナコードを筐体内のリールに巻き取る構造のものでは、リールを配置するスペースが必要であり、スペースの確保が困難であった。本発明ではイヤホンアンテナコードを基板の周辺部に巻きつける構造であるため、リールを配する場所を確保する必要がない。
【００７３】
本発明は、上述の実施例に限られるものではなく、テレビ、ラジオなどの放送受信のアンテナのみに適用することも、テレビのみ、またはラジオのみに適用することも可能である。もちろん、無線通信用アンテナのみに適用することも可能である。
【図面の簡単な説明】
【００７４】
【図１】本発明の携帯通信端末装置の実施の形態を示す斜視図である。
【図２】イヤホン収納用穴にイヤホンを収納していないときの携帯電話機の一部を示す斜視図である。
【図３】ラジオ放送の音声のみを聞く状態を示す図である。
【図４】テレビ放送を受信して視聴する状態を示す図である。
【図５】イヤホンアンテナコードと駆動系の概要を示す図である。
【図６】駆動系部分の詳細を示す図である。
【図７】表示パネル側筐体の可動子停止位置での断面図を示す図である。
【図８】イヤホンアンテナコードを備えた折り畳み型の携帯電話機の例を示す図である。
【図９】本発明の携帯通信端末装置の使用状態を示す図である。
【図１０】スライド型の携帯電話機および回転式の携帯電話機を示す図である。
【図１１】本発明の携帯通信端末装置の本体内部の一例を示すブロック図である。
【図１２】各無線システムのチャンネルに対応したアンテナエレメント長テーブルの例を示す図である。
【図１３】プリサーチの動作を説明するフローチャートである。
【図１４】イヤホンアンテナが引っ張られたことを検出する装置を示す図である。
【図１５】アンテナコード長を自動調整するフローチャートである。
【図１６】引用文献２に記載の従来のコード巻き取り式の携帯電話機を示す図である。
【符号の説明】
【００７５】
１１  キー側筐体
１２  表示パネル側筐体
１３  ヒンジ
１４  溝
１５，７１  イヤホンアンテナコード
１６  サブ表示パネル
１７  イヤホン収納用穴
１８，５１，７２  イヤホン
１９  イヤホン固定用爪
２０  スイッチ
２１  可動子
２５  プーリー
２６  タイミングベルト
２７，６３  モータ
２９  平歯車
３０  フランジ
３１  歯面
３２  接続部
３３  シャフト
３４  車輪
３５  アンテナ規制溝
３６  スライダ
３７  与圧部
４０  フロントケース
４１  リアケース
４２，４４  側壁
４３  壁
４６  イヤホンアンテナ出口
４７  イヤホンアンテナ入口
５２  イヤホン線
５３  切替回路
５４  音声処理部
５５  アンテナエレメント
５６  ラジオ受信機
５７  テレビ受信機
５８  携帯電話送受信機
５９  ＣＰＵ
６０  操作部
６１  メモリ
６２  表示部
６４  マイクロホン
６５  スピーカ
７０  テンション検出センサ
７３  イヤホンケース
７４  テンション用突起
７５  イヤホンアンテナ固定部
【図１】
2007235192.tif 000003
【図２】
2007235192.tif 000004
【図３】
2007235192.tif 000005
【図４】
2007235192.tif 000006
【図５】
2007235192.tif 000007
【図６】
2007235192.tif 000008
【図７】
2007235192.tif 000009
【図８】
2007235192.tif 000010
【図９】
2007235192.tif 000011
【図１０】
2007235192.tif 000012
【図１１】
2007235192.tif 000013
【図１２】
2007235192.tif 000014
【図１３】
2007235192.tif 000015
【図１４】
2007235192.tif 000016
【図１５】
2007235192.tif 000017
【図１６】
2007235192.tif 000018